(57)【要約】      （修正有）【課題】良好な出玉と活気に溢れる店であるとアピールができ、座席付近に支障なく置くことができ、カウンターまで障害物に接触することなく玉箱を運搬することができ、さらには安価で扱い易い遊戯用台車を提供する。【解決手段】玉箱２の下面に、複数のキャスタ４が固定された移動用基台３を連結した形状とする。【選択図】図５
0003136936.tif 000002
【実用新案登録請求の範囲】
【請求項１】
パチンコ玉を運ぶのに用いる遊戯用台車において、玉箱の下面に、複数のキャスタが固定されている移動用基台を連結して成ることを特徴とする遊戯用台車。
【請求項２】
連結する移動用基台が１台であり、該移動用基台が合成樹脂で一体に形成された積載台に４個のキャスタが固定され、連結するための別部品を用いず玉箱の下面に連結設置されることを特徴とする請求項１に記載の遊戯用台車。
【請求項３】
玉箱が開口部から底面にかけて内方に傾斜し互いの玉箱が勘合して積み重なる形状であり、かつ移動用基台がキャスタを下にして玉箱の開口部に収まる形状であることを特徴とする請求項１或いは２に記載の遊戯用台車。
【請求項４】
遊戯用台車の開口部に玉箱を積載保持する受板が着脱自在に設置されることを特徴とする請求項１から３のいずれかに記載の遊戯用台車。
【考案の詳細な説明】
【技術分野】
【０００１】
本考案は、パチンコ玉を収納する玉箱を運搬する遊戯用台車に関する。
【背景技術】
【０００２】
従来、入賞によりパチンコ台から放出される出玉はパチンコ台に設けられた玉受けに収納されるが、出玉が多くなり玉受けに収納できなくなれば、別途用意されている玉箱を取り寄せ収納する。さらに、出玉が多く玉箱にも収納できなくなれば新たに玉箱を取り寄せ収納する。大量の出玉の際は多数の玉箱に収納されることとなる。これら出玉を収納した玉箱は座席付近のフロアーに置かれる。
【０００３】
パチンコ店においては良好な出玉と活気に溢れている様をアピールすることが、大量の出玉が期待できる良い店との客の認識となるので、最重要の営業施策である。よって、フロアーに置かれる複数の玉箱は、視覚的に目立たせ出玉が好調である印象を与えるために、一箱ずつ並列に低く置くことはされず積み重ねて高く置かれる。
【０００４】
玉箱は、遊戯終了後、店員或いは遊戯者によってカウンターまで運ばれ収納されている玉数が計測されるが、玉箱は１０ｋｇ程にもなり重いので特に力の無い女性にとっては持ち運ぶことが辛く、１箱は持ち運べても複数になると玉箱を落とすなどのリスクや一度では持ち運べない等の理由により、玉箱は遊戯用台車に載せてカウンターまで運搬される。遊戯用台車は積載台の下面に移動手段として複数のキャスタが固定されたもので、積載台は多種多様な玉箱が載り収まるように大型の玉箱よりひと回り以上も大きい略長方形に形成される。遊戯用台車は、遊戯終了後に取り寄せ用いることは少なく、複数の玉箱を座席付近に置く時点で店員が取り寄せ可能な限り座席近くに置き玉箱を積載していく。その理由は、遊戯用台車に玉箱を載せると玉箱の位置がフロアーから高くなり視覚的に目立ち、良好な出玉と活気がある景気の良い様をアピールする前述の最重要の営業施策になるためである。
【特許文献１】特開２００５−３２３７９２号公報
【考案の開示】
【考案が解決しようとする課題】
【０００５】
従来、遊戯用台車は大型の玉箱よりひと回り以上大きいので座席付近に置けない場合がある。特に座席間及び島間が狭いパチンコホールにおいてはスペースが無く困難である。少なくとも、左右後ろと隣接した座席が全て遊戯用台車を置くことは不可である。
【０００６】
また、玉箱を遊戯用台車に載せカウンターまで運搬する際、島間の通路は狭い上に別の遊戯用台車や遊戯者の荷物も置かれるなど障害物が多く、これら障害物に接触しないように運ぶことは困難で、障害物を移動させて細心の注意を払うなど、体力・精神力共に多大な消耗を要するなど問題がある。
【０００７】
よって本考案は、最重要の営業施策である良好な出玉と活気に溢れる店であるアピールができ、座席付近に支障なく置くことができ、カウンターまで障害物に接触することなく玉箱を運搬することができ、さらには安価で扱い易い遊戯用台車を提供することを目的とする。
【課題を解決するための手段】
【０００８】
本考案の遊戯用台車は、良好な出玉等をアピールでき、最大のコンパクト化を得るために、遊戯用台車形状を玉箱に近似する形状とする。詳しくは遊戯用台車は底部を除いて玉箱と同一又はほぼ同一の形状とし、底部は移動手段としてキャスタを設け近似形状とする。即ち、玉箱の下面に、複数のキャスタが固定された移動用基台を連結した形状とする。
【０００９】
さらに好ましくは、良好な品質と生産性及び低コスト化を得るために部品点数を必要最小限とする。即ち、合成樹脂で一体に形成された積載台に４個のキャスタが固定されて成る移動用基台を１台のみ使用し、該移動用基台を、玉箱に連結するための手法として別部品を一切用いず該移動用基台と玉箱に一体に設けられた連結手段により玉箱の下面に連結設置させる。
【００１０】
さらには、遊戯用台車が玉箱に一層近似した形状となり、遊戯用台車と玉箱との積載性及び遊戯用台車同士の積載性の安定向上を得るために、玉箱は玉箱同士が重なり合って積み重なる形状にし、かつ移動用基台を玉箱の開口部に収納される形状にする。即ち、玉箱が開口部から底面にかけて狭まる傾斜を有し玉箱同士が勘合し積み重なる形状とし、かつ移動用基台がキャスタを下にして玉箱の開口部に収まる形状とするのが好ましい。
【００１１】
さらには、遊戯用台車に積載される玉箱が遊戯用台車に沈み込み過ぎず、あたかも大量の出玉が収納された玉箱の上に玉箱が積載されているイメージになるように、遊戯用台車の開口部に玉箱を積載保持する受板を設けるのが良い。
【考案の効果】
【００１２】
本考案の遊戯用台車によれば、底部を除き玉箱と同一或いはほぼ同一の遊戯用台車形状によって、遊戯用台車に玉箱を積載すれば、客は玉箱の上に玉箱を積載していると思い、結果、１箱多い良好な出玉をイメージさせ活気ある店をアピールできる。また、出玉が収納された玉箱に直接、移動用基台を連結させることも可能で、その場合、使用している玉箱がそのまま遊戯用台車となる。この出玉が収納された遊戯用台車をフロアーに置けば玉箱の位置が高くなるので目立ち良好な出玉をアピールでき、当然ながらカウンターまで支障なく玉箱を運搬できる。
【００１３】
遊戯用台車の巾と長さが玉箱とほぼ同じサイズとなるコンパクト性から、遊戯用台車を座席付近に置くことができ玉箱が積載される。と同時に、彼方此方の座席付近に置かれることで前述のとおり、非常に好調な出玉と活気あるイメージが創られ、大量の出玉が期待できる良い店との認識となり、最大の営業施策が得られる。さらに、カウンターまで障害物に接触することなく玉箱を運搬することができる。
【００１４】
さらには、請求項２の遊戯用台車によれば、部品点数を必要最小限とすることにより品質・管理・生産性を良好なものにし安価になる。
【００１５】
さらには、請求項３の遊戯用台車によれば、玉箱に遊戯用台車が積載される形状になるので遊戯用台車が玉箱に一層近似した形状となり、また、玉箱との積載性と遊戯用台車同士の積載性の向上により、玉箱を運搬する際の玉箱が崩れない安定性や玉箱の上に遊戯用台車を載せることもできる操作性の拡張、及び遊戯用台車同士を重ねてコンパクトに保管できる扱い易さを得ることができる。
【００１６】
さらには、請求項４の遊戯用台車によれば、玉箱が遊戯用台車の開口部から僅かに嵌りこんで積載されるので、あたかも出玉が満々に収納された玉箱の上に玉箱が積載されているイメージとなり最良な出玉で活気ある店をアピールできる。
【考案を実施するための最良の形態】
【００１７】
以下に本考案の実施例を図面に基づいて説明する。図１は本考案実施例１の遊戯用台車の斜視参考図。図２は連結前の遊戯用台車の斜視参考図。図３は遊戯用台車の正面図。図４は遊戯用台車の平面図。図５は遊戯用台車の平面中央横断面参考図。図６は玉箱に玉箱を積載した断面参考図で図５に対応するもの。図７は同様に遊戯用台車に遊戯用台車を積載した断面参考図。図８は同様に遊戯用台車に玉箱を積載した断面参考図。図９は従来の遊戯用台車との比較図で同数の玉箱を積み上げた遊戯用台車。図１０は受板を設置した遊戯用台車の斜視参考図。図１１は受板を設置した遊戯用台車の断面参考図で図５に対応するもの。図１２は同様に受板を設置した遊戯用台車に玉箱を積載した断面参考図。図１３は連結手段が違う実施例２の遊戯用台車の斜視参考図で図２に対応するもの。図１４は同様に連結手段が違う実施例３の遊戯用台車の斜視参考図である。
【００１８】
図１から５において説明すれば、遊戯用台車１は玉箱２の下面に移動用基台３が連結手段６によって連結設置されて成る。
【００１９】
移動用基台３は玉箱２を載せる略長方形の積載台にキャスタ４が複数設置されて成るものであり、複数の移動用基台３を玉箱２の下面に連結することもできるが、連結の容易さと速さ及びトータルコスト等を考えればキャスタ４が該積載台の前後に各２個ずつ計４個固定された１台の移動用基台３を玉箱２の下面に設置する形態が良い。移動用基台３の形状は玉箱２に連結した際に出っ張りや段差など生じないスムースな形状とするのが玉箱２に近似する遊戯用台車１になるので好ましい。玉箱２の殆どは、収納された出玉が接地して玉箱２に帯電した静電気を除電するために出玉収納部底面に開口穴が設置されるので連結手段６は該開口穴を利用すれば簡単であり、従来より使用し続けている玉箱２でも形状変更することなく遊戯用台車１に利用できるので良く、移動用基台３に該開口穴と嵌合係止する嵌合突起を設置すれば良い。通常、該開口穴は円形なので、連結手段６は円筒の中央部を切り欠きバネ性を持たし該出玉収納部底面に係止する係止部を設けた形状にすれば良い。また昨今の玉箱２は、少量の出玉でも玉箱２に多量に入っているように見せかけるために営業施策として上底式になっているものが多く、上げ底にするために形成されている該開口穴部や玉箱下面の周状リブなどの面も嵌合利用すれば、外部からの前後左右方向に対する力に対してより強固な連結性を得るので好ましい。この場合、嵌合手段６には大きな外力は働かず遊戯用台車１を持ち上げた時に移動用基台３が外れ落ちない程度の嵌合強度を有していれば良く設計が容易で許容形状も広くなるので良い。連結された玉箱２と移動用基台３は、移動用基台３の連結手段６を円筒状冶具などを用いて玉箱２の出玉収納部側から押さえ込めば係止が解除されて玉箱２と移動用基台３が簡単に分離できる。キャスタ４は車輪や玉を金属製等の板等に保持しているもので、製作するのも良いが多種多様なものが安価に市販されているので妥当なものを選定すれば良い。選定したキャスタ４は固定手段７で移動用基台３に固定する。固定手段７は種々考えられるがネジを用いるのが耐久性やコストの点で妥当である。４個のキャスタ４のうち、前後いずれかの１組（２個）を車軸が曲がらない固定式、残りの１組を車軸が曲がる回転式にすれば、直進性と回転性が両立でき狭い通路で的確に移動することができるので好ましい。
【００２０】
玉箱２は木製など種々の素材で製作できるが、従来、熱可塑性樹脂を用い射出成形することが意匠やコスト的に好ましく、特に透光性が良好で剛性を有し好まれ普及しているＰＣなど用いれば良い。移動用基台３の積載台はステンレス製などとすることもできるが玉箱２と同じ素材を用い射出成形すれば玉箱２に雰囲気的にも近似するので好ましい。
【００２１】
図６、７において説明すれば、玉箱２の形状は開口部５から出玉収納部底面に向けて狭まる傾斜を有し玉箱同士が積み重なる形状が、移動用基台３の形状はキャスタ４を下に該開口部５に収納され玉箱２と連結してスムースな外観ラインを有するのが好ましい。具体的に該傾斜は４〜１０°程が機能及び意匠的に妥当である。
【００２２】
図８において説明すれば、遊戯用台車１に玉箱２を積載したものであり前述のとおり玉箱２が良好に嵌合積載されるので数多くの玉箱２の積載にも安定である。図９からは、３個の玉箱２を積載した比較図であり、右側が本件考案の遊戯用台車１を用いたもので、左側が従来の遊戯用台車を用いたものである。本件考案の遊戯用台車１は遊戯用台車１が玉箱２に見えるので玉箱２が４個積載されているように見え、明らかに従来の遊戯用台車１より１箱多い良好な出玉をイメージさせ活気ある店をアピールしている。また、本件考案の遊戯用台車１は従来品より一回り以上も小さいので、狭い通路で障害物に当たらず玉箱２を運搬する能力の高さは明確である。
【００２３】
図１０から１２において説明すれば、玉箱２の開口部５に受板８を積載設置したもので、遊戯用台車１に玉箱２が沈み込むことなく積載される。即ち、受板８は、出玉が満々に収納されている玉箱２に見えるように遊戯用台車１の開口部に玉箱２が積載されるように設計すれば良い。受板８は種々の素材で形成できるが、アピールする必要は無いので、玉箱２と同じ素材で射出成形で形成すれば目立たず良い。さらに、受板８を玉箱２に積載し同様に積み重ねていくこともできる。
【００２４】
図１３について説明すれば、移動用基台３に設けた移動用基台３と一体に形成された楔形の嵌合突起と、玉箱２に設けた略長方形の嵌合穴が、連結手段６である実施例２の遊戯用台車１である。連結された玉箱２と移動用基台３は、移動用基台３の連結手段６を手等で挟み込めば係止が解除されて玉箱２と移動用基台３が簡単に分離できる。
【００２５】
図１４について説明すれば、移動用基台３に設けた移動用基台３と一体に形成された楔形の嵌合突起と、玉箱２の側面下部に設けた嵌合溝が、連結手段６である実施例３の遊戯用台車１である。玉箱２の出玉収納部底面に嵌合穴を設けない一例である。このように嵌合手段は種々あり、磁石や粘着テープなど別部品を用いることも使用条件などにより適切であれば用いれば良い。
【図面の簡単な説明】
【００２６】
【図１】本考案の実施例１の遊戯用台車の斜視参考図。
【図２】連結前の遊戯用台車の斜視参考図。
【図３】遊戯用台車の正面図。
【図４】遊戯用台車の平面図。
【図５】平面中央横断面参考図。
【図６】玉箱に玉箱を積載した断面参考図。
【図７】遊戯用台車に遊戯用台車を積載した断面参考図。
【図８】遊戯用台車に玉箱を積載した断面参考図。
【図９】従来の遊戯用台車との比較図。
【図１０】受板を設置した遊戯用台車の斜視参考図。
【図１１】受板を設置した遊戯用台車の断面参考図。
【図１２】受板を設置した遊戯用台車に玉箱を積載した断面参考図。
【図１３】実施例２の遊戯用台車の斜視参考図。
【図１４】実施例３の遊戯用台車の斜視参考図。
【符号の説明】
【００２７】
１    遊戯用台車
２    玉箱
３    移動用基台
４    キャスタ
５    開口部
６    連結手段
７    固定手段
８    受板
【図１】
0003136936.tif 000003
【図２】
0003136936.tif 000004
【図３】
0003136936.tif 000005
【図４】
0003136936.tif 000006
【図５】
0003136936.tif 000007
【図６】
0003136936.tif 000008
【図７】
0003136936.tif 000009
【図８】
0003136936.tif 000010
【図９】
0003136936.tif 000011
【図１０】
0003136936.tif 000012
【図１１】
0003136936.tif 000013
【図１２】
0003136936.tif 000014
【図１３】
0003136936.tif 000015
【図１４】
0003136936.tif 000016
【手続補正書】
【提出日】平成19年9月3日(2007.9.3)
【手続補正１】
【補正対象書類名】実用新案登録請求の範囲
【補正対象項目名】請求項４
【補正方法】変更
【補正の内容】
【請求項４】
遊戯用台車の開口部に玉箱を積載保持する受板が設置されることを特徴とする請求項１から３のいずれかに記載の遊戯用台車。
【手続補正２】
【補正対象書類名】明細書
【補正対象項目名】００２２
【補正方法】変更
【補正の内容】
【００２２】
図８において説明すれば、遊戯用台車１に玉箱２を積載したものであり前述のとおり玉箱２が良好に嵌合積載されるので数多くの玉箱２の積載にも安定である。図９からは、３個の玉箱２を積載した比較図であり、右側が本件考案の遊戯用台車１を用いたもので、左側が従来の遊戯用台車を用いたものである。本件考案の遊戯用台車１は遊戯用台車１が玉箱２に見えるので玉箱２が４個積載されているように見え、明らかに従来の遊戯用台車より１箱多い良好な出玉をイメージさせ活気ある店をアピールしている。また、本件考案の遊戯用台車１は従来品より一回り以上も小さいので、狭い通路で障害物に当たらず玉箱２を運搬する能力の高さは明確である。